(57)【要約】      （修正有）【課題】長距離給電ロスを減少し、全体構造がコンパクトで、防雨天蓋が設置される防水電源ソケットと協力し、雨水がケース本体上に落ちにくい室外装飾灯の電源制御一体回路用防水ケースを提供する。【解決手段】ケース本体１に回線入力部を設置する室外装飾灯の電源制御一体回路用防水ケースにおいて、ケース本体上に固装される電源ベースピン４を含み、電源ベースピンの一端がケース本体の外部に延在し、他端がケース本体内に伸びる。長いリードを導き出して別途プラグに接続するための回線出力部を不要にできる。【選択図】図１
0003184701.tif 000002
【実用新案登録請求の範囲】
【請求項１】
ケース本体(1)を含み、前記ケース本体(1)に回線入力部を設置する室外装飾灯の電源制御一体回路用防水ケースにおいて、
前記ケース本体(1)に固装される電源ベースピン(4) を含み、
前記電源ベースピン(4)の一端が、前記ケース本体(1)の外部に延在し、他端が、前記ケース本体(1)内に入り込む
ことを特徴とする室外装飾灯の電源制御一体回路用防水ケース。
【請求項２】
前記ケース本体(1) の電源取付ベースピン部(40)が、プラグ状である
ことを特徴とする請求項１に記載の電源制御一体回路用防水ケース。
【請求項３】
前記電源ベースピン(4)が、前記ケース本体(1)の先端に取り付けられ、
前記回線入力部が、前記ケース本体(1)の後端に位置する
ことを特徴とする請求項１に記載の電源制御一体回路用防水ケース。
【請求項４】
前記ケース本体(1)が、基座(2)及び表面カバー(3)
を含む
ことを特徴とする請求項３に記載の電源制御一体回路用防水ケース。
【請求項５】
前記ケース本体(1)上の電源ベースピン取付部(40)が、前記基座(2) にプラグ状に設けられる
ことを特徴とする請求項４に記載の電源制御一体回路用防水ケース。
【請求項６】
前記回線入力部が、前記基座(2) に設置される
ことを特徴とする請求項4に記載の電源制御一体回路用防水ケース。
【請求項７】
前記回線入力部構造は、回線入力シート(5) を含み、
前記基座(2)上に回線接続口(6)
が開設され、
前記回線入力シート(5)が、回線接続口(6)に嵌接される
ことを特徴とする請求項６に記載の電源制御一体回路用防水ケース。
【請求項８】
表面カバー(3)には、回路制御ボタン(7) を収納可能なボタン孔(8) が形成されている
ことを特徴とする請求項４に記載の電源制御一体回路用防水ケース。
【請求項９】
前記ボタン孔(8)の表面に防水パッキン(80) が設置される
ことを特徴とする請求項８に記載の電源制御一体回路用防水ケース。
【請求項１０】
表面カバー(3)上に、排気して防水接着剤が注入される通孔(9)を有し、
前記通孔(9)は、防水工事を完成した後に防水封止材(90)で密封される
ことを特徴とする請求項４に記載の電源制御一体回路用防水ケース。
【考案の詳細な説明】
【技術分野】
【０００１】
本考案は、室外装飾灯の電源制御一体回路用防水ケースに関する。
【背景技術】
【０００２】
室外装飾灯の電源制御一体回路は、防水ケース内に取り付けられる。電源制御一体回路が、雨水による損壊を防止する。従来の室外装飾灯の電源制御一体回路用防水ケースは、ケース本体を含み、ケース本体が、回線入力部及び回線出力部を収納する。灯列の電線が、回線入力部からケース本体内に導入されて、電源制御一体回路に接続し、電源制御一体回路の電源線が回線出力部から電源プラグに導き出される。電源プラグとケース本体は、それぞれ製造され、回線出力部と電源プラグとの間に比較的長いリードを設置し、電源プラグから電源制御一体回路に至る間に給電ロスが存在する。
従来の防水電源ソケットは、防雨天蓋を設置しており、電源プラグが挿入された後、電源プラグが、防雨天蓋で遮断でき、雨水が挿嵌部に落しにくい。しかし、防水電源ソケットが、専ら室外装飾灯の電源制御一体回路用防水ケースの為に設計されておらず、電源プラグが挿入した後、防雨天蓋が電源プラグだけに雨を遮断し、遠い箇所の防水ケースは、雨を遮断できない。このため、防水ケースが、自身の防水構造により雨水の&#28183;入を防止しなければならない。
【考案の概要】
【考案が解決しようとする課題】
【０００３】
本考案の目的は、室外装飾灯の電源制御一体回路用防水ケースに対して、以下のことを実現することにある。
【０００４】
(1)給電ロスを減少させること。
(2)ケース本体と電源插接部位全体の製造コストを低下させること。
(3)より良い防水効果を達成すること。
【課題を解決するための手段】
【０００５】
本考案によれば、室外装飾灯の電源制御一体回路用防水ケースは、ケース本体を含み、ケース本体に回線入力部を設置する防水ケースである。更にケース本体上に固装される電源ベースピンを含み、電源ベースピンの一端がケース本体外に延在し、他端がケース本体内に配置される。
【０００６】
本考案によれば、電源ベースピンがケース本体上に固装され、電源制御一体回路の電線が、電源ベースピンに接続すれば良く、ケース本体にはリードを導き出して、別にプラグに接続するための回線出力部を設置することなく、電源制御一体回路とベースピンとの間に比較的長いリードを設置する必要がないため、以下の長所を備える：
【０００７】
(1)長距離給電によるロスを減少する。
(2)ベースピンとケース本体一体製造、製品全体構造更コンパクトで、製造コストが低い。
(3)防雨天蓋を設置する防水電源ソケットと協力し、ケース本体は折よく防雨天蓋で遮断されることができ、雨水がケース本体に落とすにくい。
【図面の簡単な説明】
【０００８】
【図１】室外装飾灯の電源制御一体回路用防水ケースの分解図である。
【考案を実施するための形態】
【０００９】
図1に示すように、室外装飾灯の電源制御一体回路用防水ケースは、ケース本体1を含む。更にケース本体1先端に固装される電源ベースピン4を含み、電源ベースピン4の一端がケース本体1外に延在し、他端がケース本体1内に伸びる。
ケース本体1が基座2及び表面カバー3を含み、ケース本体1上にある電源ベースピン取付部40をプラグ状にさせて基座2に設置される。
【００１０】
ケース本体1の後端に回線入力部を設置され、この回線入力部が、基座2に設置される。回線入力部の構造は、回線入力シート5を含み、基座2の上に回線接続口6を開設し、回線入力シート5が回線接続口6に嵌接される。
【００１１】
表面カバー3の上には回路制御ボタン7を収納できるボタン孔8を有する。このボタン孔8の表面に防水パッキン80を設置する。表面カバー3には排気するとともに防水接着剤が注入されるための通孔9が形成される。通孔9は防水工事が完成された後に防水封止材90で密封される。
【００１２】
以上の説明は、本考案の一実施例に関するもので、この技術分野の当業者であれば、本考案の種々の変形例を考え得るが、それらはいずれも本考案の技術的範囲に包含される。実用新案登録請求の範囲の構成要素の後に記載した括弧内の番号は、図面の部品番号に対応し、考案の容易なる理解の為に付したものであり、考案を限定的に解釈するために用いてはならない。また、同一番号でも明細書と実用新案登録請求の範囲の部品名は必ずしも同一ではない。これは上記した理由による。用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。
【図１】
0003184701.tif 000003